(57)【要約】【課題】いわゆるワンタッチで確実に脱着できると共に想定通りの引っ張り状態で装着できて装着感も好適なものとして得られるようにした格闘技用股間防具を提供する。【解決手段】正面視略三角形状で競技者の股間に当てがわれる膨出盤状の防護芯体４を、格闘競技の競技中に競技者の股間急所を保護する股間防具本体用として備えると共に、連結手段７，８により腰回りに締め付け状態で装着されて防護芯体４を、股間急所を対象に脱着自在とする腰回しベルト５を、防具脱着用として備えている。連結手段７，８は、互いに機械的に係脱自在な組み合わせのもので構成されている。【選択図】図１
0003124194.tif 000002
【実用新案登録請求の範囲】
【請求項１】
正面視略三角形状で競技者の股間に当てがわれる膨出盤状の防護芯体を、格闘競技の競技中に競技者の股間急所を保護する股間防具本体用として備えると共に、連結手段により腰回りに締め付け状態で装着されて前記防護芯体を、股間急所を対象に脱着自在とする腰回しベルトを防具脱着用として備えている格闘技用股間防具であって、
前記連結手段は、互いに機械的に係脱自在な組み合わせのもので構成されていることを特徴とする格闘技用股間防具。
【請求項２】
前記連結手段は、弾性変形を介して嵌脱自在とされた第１ジョイントと第２ジョイントとで構成されている請求項１に記載の格闘技用股間防具。
【請求項３】
前記腰回しベルトは、防護芯体側の両側から伸びた左右一対のもので構成され、前記連結手段は、前記腰回しベルトの各先端部に設けられて腰の後ろ回り位置において嵌脱自在とされている請求項１又は２に記載の格闘技用股間防具。
【請求項４】
前記連結手段は、腰部脇位置の近くで嵌脱されるようになっている請求項１又は２に記載の格闘技用股間防具。
【請求項５】
前記腰回しベルトは、腰全体長さに亘るものとされていると共に、前記連結手段は、前の前回りに配置されるようになっている請求項１又は２に記載の格闘技用股間防具。
【請求項６】
前記腰回しベルトは、長さ調節自在に構成されている請求項１〜５のいずれか１項に記載の格闘技用股間防具。
【考案の詳細な説明】
【技術分野】
【０００１】
本考案は格闘技用股間防具に関し、詳しくは、空手やキックボクシングあるはテコンドー等の格闘技に使われる用具に係り、特に正面視略三角形状で競技者の股間に当てがわれる膨出盤状の防護芯体を、格闘競技の競技中に競技者の股間急所を保護する股間防具本体用として備えると共に、連結手段により腰回りに締め付け状態で装着されて前記防護芯体を、股間急所を対象に脱着自在とする腰回しベルトを防具脱着用として備えている格闘技用股間防具に関する。
【背景技術】
【０００２】
近年、空手やテコンドー等の試合や練習の際、競技者の股間急所を時として誤って加えられる相手の突きや蹴りから防護するために、図６および図７に示す格闘技用股間防具などが用いられる。この股間防具は、正面視して略三角形状で競技者の股間に当てがわれる膨出盤状の防護芯体（股間防具本体）５０を、略三角形をした緩衝ボディ５１の下部に備えると共に、この緩衝ボディ５１には、その両脇から左右一対の腰回しベルト５２，５２を防具脱着用として伸ばして、これらを引き締めながらその先端部の連結手段５３を連結することにより、防護芯体５０を股間急所に安定確実に当てがうようにし、加えて、太もも嵌入ベルト５４の補助もあって、前記安定確実性を一層高めるようにすることにより、前記股間急所の防護を図るようにしてある。
【考案の開示】
【考案が解決しようとする課題】
【０００３】
しかしながら、図６，７に示す格闘技用股間防具の連結手段５３は、面ファスナー５５，５６で脱着自在に構成されていたので、いわゆるワンタッチでの脱着はできるかのようであるが、図６の矢印Ｘのように、腰回しベルト５２，５２を引っ張りながら互いを係着しようとすると、腰回りの背面において係着をする慣例から、その途中の中途半端な段階で互いの面ファスナー５５，５６が係着してしまうことが多々あり、そのような場合、好ましい引っ張り状態で係着するには、引っ張り途中で面ファスナー５５，５６が無用に係着しないように、注意を払いながら係着操作をする必要があった。また、前記係着がうまくできない場合には、一旦面ファスナー５５，５６を剥がし取り再度係着しなければならないという不便さがあった。
【０００４】
そこで、本考案は上記従来技術の有する問題点に鑑みてなされたもので、その課題は、いわゆるワンタッチで確実に脱着できると共に、想定通りの引っ張り状態で装着でき、装着感も好適なものとして得られるようにした格闘技用股間防具を提供することにある。
【課題を解決するための手段】
【０００５】
上記課題は、各請求項記載の考案により達成される。すなわち、本願考案は、正面視略三角形状で競技者の股間に当てがわれる膨出盤状の防護芯体を、格闘競技の競技中に競技者の股間急所を保護する股間防具本体用として備えると共に、連結手段により腰回りに締め付け状態で装着されて前記防護芯体を、股間急所を対象に脱着自在とする腰回しベルトを防具脱着用として備えている格闘技用股間防具であって、前記連結手段は、互いに機械的に係脱自在な組み合わせのもので構成されていることを特徴とする。
【０００６】
この構成によれば、連結手段は機械的に係脱自在な組み合わせのもので構成されているので、従来の面ファスナー式のような途中での係着はなく１回の操作で想定通りに確実に係着することができる。したがって、係着が確実であるので面ファスナー式のように係着をやり直すなどの手間は不要になる。
【０００７】
前記連結手段は、弾性変形を介して嵌脱自在とされた第１ジョイントと第２ジョイントとで構成されていることが好ましい。
【０００８】
この構成によれば、第１、第２ジョイントが弾性変形により嵌脱自在とされているので、嵌合はもとより取り外しもワンタッチで確実に行えるようになるし、弾性により競技時に取り外れるおそれもなくなる。
【０００９】
前記腰回しベルトは、防護芯体側の両側から伸びた左右一対のもので構成され、前記連結手段は、前記腰回しベルトの各先端部に設けられて腰の後ろ回り位置において嵌脱自在とされていることが好ましい。
【００１０】
この構成によれば、腰回しベルトが左右一対であるので、同ベルトを引っ張る操作が左右均等にでき、ずれのない好ましい装着状態を得ることができる。
【００１１】
前記連結手段は、腰部脇位置の近くで嵌脱されるようになっていることが好ましい。
【００１２】
この構成によれば、連結手段が腰部脇位置近くにくるので、視認できる個所で脱着がより確実に行えるようになる。
【００１３】
前記腰回しベルトは、腰全体長さに亘るものとされていると共に、前記連結手段は、前の前回りに配置されるようになっていることが好ましい。
【００１４】
この構成によれば、連結手段が腰の前回りに配置されるので、上方から最もよく見える個所で脱着ができてより確実な脱着が行えるようになる。
【００１５】
前記腰回しベルトは、長さ調節自在に構成されていることが好ましい。
【００１６】
この構成によれば、腰回しベルトが長さ調節自在であるので、上記のような確実な脱着ができるうえで各格闘競技者の体形にマッチングした防具を提供できるようになる。
【考案を実施するための最良の形態】
【００１７】
本考案の実施形態を、図面を参照して詳細に説明する。
【００１８】
〈第１実施形態〉
図１は、第１実施形態に係る格闘技用股間防具を非装着状態で示す斜視図、図２は、第１実施形態の股間防具を装着状態で示す背面図である。
【００１９】
この格闘技用股間防具は、略三角形をした表地１と裏地２との間に、軟質樹脂などの緩衝材を装填してなる緩衝ボディ３を備える。この緩衝ボディ３の下部中央には、樹脂、金属などによる防護芯体４が一体に埋め込まれており、この防護芯体４は、正面視略三角形状で競技者の股間に当てがわれるべく膨出盤状をなしている。
【００２０】
防護芯体４の左右両側からは、左右一対をなすようにゴムベルト状の腰回しベルト５，６が伸びて設けられており、一方の腰回しベルト５には、第１ジョイント(連結手段)７が、また他方の腰回しベルト６には、第２ジョイント(連結手段)８が取り付けられている。第１ジョイント７は、樹脂一体成形品でなり、把持部７ａと同部から二葉状に突出する弾性変形自在な係脱片７ｂからなっている。第２ジョイント８も樹脂一体成形品でなり、各筒状をなすグリップ部８ａを備える。同グリップ部８ａの内部には、係脱片７ｂが弾性変形を介して係止し外部の解除ボタン９の押圧により、その係止が解除される係止受部８ｂが形成されている。解除ボタン９は、内装バネ１０により常時突出するように付勢されている。また、緩衝ボディ３には、太もも嵌入ベルト１１，１１が左右一対設けられている。なお、図２に示すように、一方あるいは双方の腰回しベルト５，６は、競技者Ｍの体形や好みに合わせて長さを調節できる調節環１２を設けてもよい。
【００２１】
この格闘技用股間防具は、図１に示す状態から図２に示すように、まず両太もも嵌入ベルト１１を足から太ももに嵌入しながら、競技者Ｍの前面の股間急所に防護芯体４が当てがわれるようにして、緩衝ボディ３を前面にフィットさせる。そして、一対の腰回しベルト５，６を後回しにして、左手で第２ジョイント８を、右手で第１ジョイント７を、それぞれ把持しながら引っ張り、第１ジョイント７を相手側の第２ジョイント８内に係止するようにしてロックする。
【００２２】
この格闘技用股間防具は、上下の解除ボタン９を押すことにより、係止状態の係脱片７ｂが係止受部８ｂから外れて抜け出すことで、左右の腰回しベルト５，６が分離すると共に、太もも嵌入ベルト１１を抜き出すことにより、取り外し状態となる。
【００２３】
〈第２実施形態〉
図３は、第２実施形態の格闘技用股間防具を示す側面図である。この第２実施形態の股間防具は、防護芯体２０を内装した緩衝ボディ２１を備えると共に、太もも嵌入ベルト２２を備えるもので、前記緩衝ボディ２１の正面からみて、左側部から長く伸縮可能な腰回しベルト２３が伸び、その先端部に第１ジョイント(連結手段)２４を備えたものにしてある。一方、第２ジョイント（連結手段）２５は緩衝ボディ２１の正面からみて、右側に直接あるいはベルトを介して取り付けられている。第１ジョイント２４は係脱片２６を備え、第２ジョイント２５は解除ボタン２７を備えている。
【００２４】
この実施形態の格闘技用股間防具は、連結手段である両ジョイント２４，２５が腰部脇位置近くにくるようになるので、視認し得る個所で脱着がより確実に行えるようになる。
【００２５】
〈第３実施形態〉
図４は、第３実施形態の格闘技用股間防具を示す正面図である。この股間防具は、防護芯体３０を備えた緩衝ボディ３１に太もも嵌入ベルト３２を取り付けたものにあって、腰回しベルト３３は、腰後回りから緩衝ボディ３１の上部内を通る単一本のものとし、その両端を、緩衝ボディ３１の上部に形成した凹所３４内にくるように配置してなるもので、腰回しベルト３３を引っ張りながら腰前回りにおいて第１、第２ジョイント３４，３５を係止すれば、装着が完了するものになっている。この第３実施形態によれば、連結手段３４，３５が腰の前回りに配置されるので、上方から最もよく見える個所で脱着ができてより確実な脱着が行えるようになる。なお、緩衝ボディ３１は必ずしも必要なものではなく、防護芯体３０を備えたサポーター式のものとして構成してもよい。
〔別実施の形態〕
（１）上記実施形態では、図２に示すように、左右一対をなすゴムベルト状の腰回しベルト５，６が伸びて設けられており、一方の腰回しベルト５には、第１ジョイント(連結手段)７が、また他方の腰回しベルト６には、第２ジョイント(連結手段)８が取り付けられていて、競技者Ｍのほぼ真後で接続される例を示したが、これに代えて、図５に示すように、第１ジョイントと第２ジョイントとの接続箇所を競技者Ｍの腰部の左右いずれかにずらすようにすると共に、腰回しベルト５，６と一体の股回しベルト３６を設ける構成としてもよい。この場合、股回しベルト３６は、緩衝ボディ３および太股嵌入ベルトとも一体になっている。
もっとも、第１ジョイントと第２ジョイントとの接続箇所を競技者Ｍの腰部の左右いずれかにずらすことなく、図２と同様な位置のままとしておき、股回しベルトと腰回しベルト５，６との接続を、第１ジョイントと第２ジョイントの接続箇所を避けるように二股状にしてもよい。つまり、股回しベルトの上端をＹ字状にする。
【図面の簡単な説明】
【００２６】
【図１】本考案の第１実施形態に係る格闘技用股間防具を非装着状態で示す斜視図
【図２】第１実施形態の股間防具を装着状態で示す背面図
【図３】第２実施形態の格闘技用股間防具を示す側面図
【図４】第３実施形態の格闘技用股間防具を示す正面図
【図５】別実施形態に係る格闘技用股間防具を装着状態で示す背面図
【図６】従来の格闘技用股間防具の一例を装着状態で示す斜視図
【図７】図６の股間防具を装着状態で示す斜視図
【符号の説明】
【００２７】
４，２０，３０    防護芯体
５，２３，３３    腰回しベルト
７，８，２４      ジョイント（連結手段）
２５，３４，３５  ジョイント（連結手段）
【図１】
0003124194.tif 000003
【図２】
0003124194.tif 000004
【図３】
0003124194.tif 000005
【図４】
0003124194.tif 000006
【図５】
0003124194.tif 000007
【図６】
0003124194.tif 000008
【図７】
0003124194.tif 000009